(57)【要約】【課題】胴から皮が剥がれることを防止することの出来る保護テープ付きの楽器を提供する。【解決手段】胴枠３０と胴皮４０により構成される胴２０を具備する楽器において、少なくとも一枚の保護テープ１０が前記胴２０に固着されており、前記保護テープ１０は、前記胴２０の上面２１および側面２２の両方の領域にまたがり、前記胴枠３０と前記胴皮４０の境界の全部または一部を覆っている。【選択図】図１
0003217856.tif 000002
【実用新案登録請求の範囲】
【請求項１】
胴枠３０と胴皮４０により構成される胴２０を具備する楽器において、
少なくとも一枚の保護テープ１０が前記胴２０に固着されており、
前記保護テープ１０は、前記胴２０の上面２１および側面２２の両方の領域にまたがり、
前記胴枠３０と前記胴皮４０の境界の全部または一部を覆っていることを特徴とする楽器。
【請求項２】
請求項１記載の楽器において、
前記保護テープ１０には、粘着層１２が設けられていることを特徴とする楽器。
【請求項３】
請求項１または２に記載の楽器において、
前記保護テープ１０は、緩衝性を有していることを特徴とする楽器。
【請求項４】
請求項１乃至３のいずれか１つに記載の楽器において、
前記保護テープ１０は、光を反射可能または発光可能または蓄光可能であることを特徴とする楽器。
【請求項５】
請求項１乃至４のいずれか１つに記載の楽器において、
前記保護テープ１０は、重なり合う部分を有していることを特徴とする楽器。
【請求項６】
請求項１乃至５のいずれか１つに記載の楽器において、
さらに、補助部材５０が設けられており、
前記補助部材５０の少なくとも一部が、
前記保護テープ１０に重なり合っていることを特徴とする楽器。
【考案の詳細な説明】
【技術分野】
【０００１】
胴と皮を保護するテープ付きの楽器。より詳しくは、皮剥がれを防止することが出来、胴および皮を、破損や変色から保護することの出来るテープ付きの楽器。
【考案の概要】
【考案が解決しようとする課題】
【０００２】
従来の楽器において、演奏等の使用に際して、胴に貼られた皮が剥がれてしまう心配があった。
【課題を解決するための手段】
【０００３】
上記の目的を達成する為、本考案は、胴枠３０と胴皮４０により構成される胴２０を具備する楽器において、少なくとも一枚の保護テープ１０が前記胴２０に固着されており、前記保護テープ１０は、前記胴２０の上面２１および側面２２の両方の領域にまたがり、前記胴枠３０と前記胴皮４０の境界の全部または一部を覆っていることを特徴とする楽器を提供する。
【考案の効果】
【０００４】
皮剥がれを防止することが可能である。
【図面の簡単な説明】
【０００５】
【図１】使用状態を示す外観斜視図
【図２】保護テープの構成を示す断面図
【図３】変形１の使用状態を示す外観斜視図
【図４】図３の一部を拡大した部分拡大図
【図５】変形２の使用状態を示す外観斜視図
【図６】変形３の使用状態を示す外観斜視図
【図７】変形４の使用状態を示す外観斜視図
【図８】変形５の使用状態を示す外観斜視図
【考案を実施するための形態】
【０００６】
図１は使用状態を示す外観斜視図であり、図２は保護テープの構成を示す断面図である。図１で示すように、楽器１００は、音響効果を有する胴２０を備えている。胴２０は、胴皮４０と胴枠３０により構成されており、胴皮４０は胴枠３０に貼着されている。胴皮４０の端部と胴枠３０が接する位置に境界２５が形成されている。胴２０には上面２１（胴皮４０と同じ側）および側面２２が設けられている。保護テープ１０は上面２１の領域と側面２２の領域の両方にまたがって固着されている。（この考案における固着とは、貼着、付着、溶着、吸着、鋲着を含めて、取り付けることを意味する。）また、保護テープ１０は境界２５の全部または一部を覆うことが可能である。
このようにすることで、保護テープ１０によって、胴２０から胴皮４０が剥がれてしまうことを防止することが出来る。また、胴２０を破損や変色から保護することも出来る。
【０００７】
図２で示すように、保護テープ１０には基材層１１と粘着層１２が設けられている。基材層１１は、布・化繊・ゴム等の素材から出来ており、粘着層１２には、のり・ボンド等の接着剤が塗られている。このようにすることで、胴枠３０に対して保護テープ１０を容易に取り付けることが出来る。
【０００８】
図３は変形１の使用状態を示す外観斜視図であり、図４は図３の一部を拡大した部分拡大図である。図示しているように、楽器１００Ａにおいて、胴２０の角部近傍で保護テープ１０の一部が重なり合っている。より詳しく説明すると、胴２０の角部近傍で、ハサミ等を用いて適当な長さの切り口を加えておき、一つずつ折り曲げてゆくと、重なり合う部分が生じる。このようにすることで、保護テープ１０自体の緩衝性を高め、胴２０を保護する機能を高めることが出来る。切り口や折り曲げる方法は様々に考えられる中の一例を示しており、この形状に限定するものではない。
【０００９】
図５は変形２の使用状態を示す外観斜視図である。図示しているように、楽器１００Ｂにおいて、保護テープ１０は胴２０の両サイドのみに貼着されている。このようにすることで、保護テープ１０を胴２０の全周に渡って巻き付けた場合よりも、保護テープ１０の使用量を抑えることが出来る。
【００１０】
図６は変形３の使用状態を示す外観斜視図である。図示しているように、楽器１００Ｃにおいて、複数枚の保護テープ１０が貼着されている。それぞれの保護テープ１０は色違いであることが好ましい。このようにすることで、ストライプ模様を施すことが出来、胴２０の意匠性を高めることが出来る。また胴２０を保護する機能を高めることも出来る。
図示してはいないが、保護テープ１０自体に、または保護テープ１０の表面に、アルミ等の反射板を付ければ、光を反射させることも出来る。また、ＬＥＤ等を付ければ発光させることも出来る。蓄光性のある化学塗料を塗れば、光を蓄えることも出来る。このようにすることで、演奏者の手元が明るくなるので、光量が不足するライブ会場や野外会場でも、演奏を行うことが可能になる。光の演出により、意匠性の向上にも繋げることが出来る。
【００１１】
図７は変形４の使用状態を示す外観斜視図である。図示しているように、楽器１００Ｄにおいて、保護テープ１０は、胴皮４０と胴枠３０の境界２５を覆う形で、胴枠３０に貼着されている。この保護テープ１０の上に補助部材５０が取り付けられている。補助部材５０はクッション性の高い素材から出来ていることが好ましい。このようにすることで、より緩衝性を高めることが出来る。また、補助部材５０を通して、意匠性を高めることも可能である。図示された補助部材５０は、略真円から約９０度切り取られた面が長手方向へ伸延した形状であるが、一定の厚みのある柱形状であればよく、この形状に限定するものではない。
【００１２】
図８は変形５の使用状態を示す外観斜視図である。図示しているように、楽器１００Ｅにおいて、保護テープ１０が胴枠３０のそれぞれの角部に取り付けられている。この保護テープ１０はクッション性の高い素材から出来ていることが好ましい。このようにすることで、より緩衝性を高めることが出来る。図示された補助部材５０は、略真円から約９０度切り取られた面が胴枠３０の角部を中心として一定の距離まで延びた形状であるが、ある程度の厚みのある形状であればよく、この形状に限定するものではない。
また、図７および図８で示す胴２０の上面２１は略正方形になっているが、この形状に限定するものではない。
【００１３】
本考案は、図示している弦楽器（三味線・三線・胡弓）以外にも、太鼓でも適用させることが出来る。
【００１４】
一般的に、胴枠３０は木製であることが多いが、木製以外にも、各種金属・合成樹脂・セラミック等を素材とする胴枠３０であってもよい。保護テープ１０において、長さと幅と厚みは任意に設定することが出来る。
【符号の説明】
【００１５】
１００…楽器
１０…保護テープ
１１…基材層
１２…粘着層
２０…胴
２５…境界
３０…胴枠
４０…胴皮
５０…補助部材
【図１】
0003217856.tif 000003
【図２】
0003217856.tif 000004
【図３】
0003217856.tif 000005
【図４】
0003217856.tif 000006
【図５】
0003217856.tif 000007
【図６】
0003217856.tif 000008
【図７】
0003217856.tif 000009
【図８】
0003217856.tif 000010